(57)【特許請求の範囲】
【請求項１】
コンテナ（Ｃ）の筐体内にて、前面側板（６１）の排出口扉（３ａ）に対し回動可能に取り付けられたカム（１１）を具備するカム部（１）と、底板（６２）に固定されたラッチ部（２）とを有し、前記カム（１１）の螺旋状のカム面（１１ａ）が前記ラッチ部（２）の後面に当接しつつ回動することにより前記排出口扉（３ａ）を後方に引き寄せ可能なカムロック構造（１０）において、
前記カム部（１）が、前記排出口扉（３ａ）に対する取付手段として、前記カム（１１）のカム軸（１１ｂ）から前方に前記排出口扉（３ａ）を貫通して延びるカム軸延長部（１１ｄ）と、前記カム軸延長部（１１ｄ）の前端の締結部（１１ｅ）と、前記締結部（１１ｅ）に対して前記排出口扉（３ａ）の前面側から締結されている締結具（１２）と、を有することを特徴とする、コンテナ排出口扉のカムロック構造。
【請求項２】
前記ラッチ部（２）が、前記筐体底面（６２）上に下端が固定された柱状の金属製のラッチドック（２１）と、前記ラッチドック（２１）の側面のうち少なくとも、前面以外の側面を覆っている樹脂製の被覆部材（２２）と、を有することを特徴とする、請求項１に記載のコンテナ排出口扉のカムロック構造。
【請求項３】
前記締結部（１１ｅ）が螺子穴又は螺子付棒であり、前記締結具（１２）がそれぞれに対応するボルト又はナットであることを特徴とする請求項１又は２に記載の、コンテナ排出口扉のカムロック構造。
【請求項４】
前記被覆部材（２２）が前記ラッチドック（２１）の側面全体を覆っていることを特徴とする請求項２に記載の、コンテナ排出口扉のカムロック構造。
【請求項５】
請求項１〜４のいずれかに記載の、コンテナ排出口扉のカムロック構造を備えたコンテナ。
【発明の詳細な説明】
【技術分野】
【０００１】
本発明は、コンテナ排出口扉をロックするためのカムロック構造に関する。
【背景技術】
【０００２】
種々の粉体の保管、運搬、混合用の容器としてステンレス製のコンテナが知られている（例えば特許文献１）。
【０００３】
図５及び図６は、この種のコンテナの従来例を概略的に示す図である。図５（ａ）は、従来例のコンテナＣ０の正面図、（ｂ）は左側面図、（ｃ）は（ｂ）の鎖線囲み部分の拡大図である。以下の説明では、コンテナの排出口のある側面を前面とし、反対側の側面を後面と称することとする。
【０００４】
図５に示すように、コンテナＣ０は、ステンレス製の四方側板、底板及び上板から構成される直方体のコンテナ筐体６と、底板下面に付設した脚部５とを備える。上板の中央には蓋付きの投入口４が設けられ、前面側板には排出口３が設けられる。排出口３には、略矩形の排出口扉３ａが、上縁の蝶番機構により開閉可能に取り付けられている。蝶番機構は、ヒンジ芯棒３ｂとヒンジ軸受け３ｃとを具備する。排出口扉３ａの中央下部には、排出口扉３ａを閉じて密封状態でロックするためのカムロック構造１００が設けられている。カムロック構造１００は、カム部１０１とラッチ部１０２とから構成される。カム部１０１とラッチ部１０２はコンテナ筐体内に設置され、カム部１０１の先端のみが排出口扉３ａの前面から突出している。
【０００５】
図６を参照して、従来のカムロック構造１００の概要を説明する。図６（ａ）は、図５に示したコンテナＣ０における従来のカムロック構造の近傍を示す側断面図であり、（ｂ）及び（ｃ）はそれぞれ取り外したカムナット１１３及びカムボルト１１２の側面図であり、（ｄ）はラッチ部１０２の平面図である。なお、図６は排出口扉３ａが閉じられロックされた状態を示している。
【０００６】
カム部１０１は排出口扉３ａを貫通して固定されている。カム部１０１は、排出口扉３ａの貫通孔に溶接固定され後方に延びる円筒状のボス１１６と、ボス１１６を前方から貫通して後方に延びるカムボルト１１２とを具備する。カムボルト１１２のボス装着部１１２ｃとボス１１６の間には樹脂製のブッシュ１１４及びＯリング１１５が介在する。カムボルト１１２のヘッド部１１２ｄは排出口扉３ａの前面から突出し、六角穴１１２ｅを形成されている。ヘッド部１１２ｄの別の例として六角穴１１２ｅに替えてＴバーハンドル式や六角柱の形状もある。ヘッド部１１２ｄは外部からカムボルト１１２を回動させるために用いられる。カムボルト１１２におけるボス装着部１１２ｃの後方には小径のカム装着部１１２ｂ（断面は矩形）が延び、さらに後端には螺子部１１２ａが形成されている。
【０００７】
カムボルト１１２のカム装着部１１２ｂにはカム１１１が取り付けられる。カム装着部１１２ｂはカム軸１１１ｂを貫通する。さらに、カムボルト１１２の螺子部１１２ａにカムナット１１３を締結することにより、カム１１１がカムボルト１１２に固定される。カム１１１は、カム面１１１ａとストッパ１１１ｃとを具備する。カム面１１１ａは、カム軸１１１ｂの後端から前端に向かって略螺旋状に形成された前向きの面である。カム軸１１１ｂの軸周りの所定範囲内にはカム面１１１ａの無い切り欠き部分がある。ストッパ１１１ｃは、カム面１１１ａの前端の周縁部から前方に突出している。
【０００８】
ラッチ部１０２は底板６２上に固定されている。ラッチ部１０２は、底板６２に固定される金属製の略Ｌ形のラッチドック１２１と、ラッチドック１２１の後面上に取り付けられた樹脂製又は金属製の被覆板１２２とを具備する。
【０００９】
コンテナの前面側板６１において排出口を形成する突出縁部６１ａは前方に突き出ており、この突出縁部６１ａは、排出口扉３ａの周縁に付設したガスケット３ｄと係合可能な位置に形成されている。
【００１０】
斯かる構成において、ヘッド部１１２ｄを利用してカムボルト１１２を回動させると、カム１１１を回動させることができる。排出口扉３ａが下ろされただけで未だロックされていない状態では、カム部１０１（すなわち排出口扉３ａ）は図６に示す位置よりも前方にあり、カム面１１１ａはラッチ部１０２の被覆板１２２に当接していない。カム１１１をロックする方向に回動させると、後端側のカム面１１１ａからラッチ部１０２の被覆板１２２と当接し始め、その後さらに回動すると、カム面１１１ａがラッチ部１０２から力を受けることによりカム部１０１が次第に後方に移動する。これにより、排出口扉３ａをコンテナの前面側板６１の方へ引き寄せることとなる。そして、前面側板６１の突出縁部６１ａがガスケット３ｄに埋没するように押し付けられ、密閉状態が形成される。最終的にストッパ１１１ｃがラッチ部１０２の側面に当たると、カム１１１はそれ以上は回動できない。この状態が図６に示したロック状態である。
【先行技術文献】
【特許文献】
【００１１】
【特許文献１】実開平７−１９１９２号公報
【発明の概要】
【発明が解決しようとする課題】
【００１２】
図６に示した従来のコンテナ排出口扉のカムロック構造には以下のような問題点がある。
カム部１０１については、コンテナの使用中に、カム１１１を固定しているカムナット１１３が緩み、脱落することがある。その場合、比較的小さいカムナット１１３が収容物中に混入すると、発見し難いという問題がある。また、カムナット１１３が脱落することは、収容物の汚染に繋がるおそれもある。
【００１３】
また、カム１１１、カムボルト１１２及びカムナット１１３の３つの部品の互いの接合部分がコンテナ内部に存在するため、カムナット１１３が若干緩んだ場合、部品同士の隙間に収容物が侵入して滞留するおそれがある。滞留した収容物は、汚染の原因となるおそれがある。
【００１４】
ラッチ部１０２については、被覆板１２２が金属製の場合は全体が金属製であり、また、被覆板１２２が樹脂製の場合も被覆板１２２以外は金属製であるので、金属製のカム１１１とラッチ部１０２が当接したり衝突したりすると、欠けた金属屑が収容物中に混入し、収容物を汚染するおそれがある。
【００１５】
上記の問題点に鑑み、本発明は、コンテナ排出口扉のカムロック構造において、コンテナ内部で細かい部品が脱落したり、部品間に隙間が生じたり、部品同士の衝突で金属屑が生じたりすることにより収容物を汚染するおそれがないものを提供することを目的とする。
【課題を解決するための手段】
【００１６】
上記の目的を達成するために、本発明は、以下の構成を有する。括弧内の数字は、後述する実施例を示す図中の符号であり、参考のために付するものである。
【００１７】
本発明の第１の態様は、コンテナ（Ｃ）の筐体内にて、前面側板（６１）の排出口扉（３ａ）に対し回動可能に取り付けられたカム（１１）を具備するカム部（１）と、底板（６２）に固定されたラッチ部（２）とを有し、前記カム（１１）の螺旋状のカム面（１１ａ）が前記ラッチ部（２）の後面に当接しつつ回動することにより前記排出口扉（３ａ）を後方に引き寄せ可能なカムロック構造（１０）において、前記カム部（１）が、前記排出口扉（３ａ）に対する取付手段として、前記カム（１１）のカム軸（１１ｂ）から前方に前記排出口扉（３ａ）を貫通して延びるカム軸延長部（１１ｄ）と、前記該カム軸延長部（１１ｄ）の前端の締結部（１１ｅ）と、前記締結部（１１ｅ）に対して前記排出口扉（３ａ）の前面側から締結されている締結具（１２）と、を有することを特徴とする。
【００１９】
上記第１の態様において、前記ラッチ部（２）が、前記筐体底面（６２）上に下端が固定された柱状の金属製のラッチドック（２１）と、前記ラッチドック（２１）の側面のうち少なくとも、前面以外の側面を覆っている樹脂製の被覆部材（２２）と、を有してもよい。
【００２０】
上記第１の態様において、前記締結部（１１ｅ）が螺子穴又は螺子付棒であり、前記締結具（１２）がそれぞれに対応するボルト又はナットであってもよい。
上記第１の態様において、前記被覆部材（２２）が前記ラッチドック（２１）の側面全体を覆っていてもよい。
【００２１】
本発明の第２の態様は、上記第１の態様の、コンテナ排出口扉のカムロック構造を備えたコンテナである。
【発明の効果】
【００２２】
本発明では、コンテナ排出口扉のカムロック構造において、カム軸と一体の前方延長部が排出口扉を貫通し、その前方延長部の前端に設けた締結部に対し、排出口扉の前面側から締結具が締結された構成を有する。従って、コンテナ内部にカムを固定するための締結要素が無いので、従来技術のようにカムナットがコンテナ内部に脱落することがない。また、カムとカム軸とその前方延長部は一体であるので、これらの間に隙間を生じることはなく、収容物が隙間に侵入することもない。この結果、コンテナ収容物の汚染のリスクが低減される。
【００２３】
また、本発明では、コンテナ排出口扉のカムロック構造において、ラッチ部のラッチドックの側面のうち少なくとも、前面以外の側面を樹脂製の被覆部材が覆っている構成を有する。従って、金属製のカムがラッチ部の後面に当接したり、側面に衝突したりしても金属屑が生じることはない。この結果、コンテナ収容物の汚染のリスクが低減される。
【図面の簡単な説明】
【００２４】
【図１】図１（ａ）は、本発明の一実施例におけるコンテナの正面図、（ｂ）は左側面図、（ｃ）は（ｂ）の鎖線囲み部分の拡大図である。
【図２】図２（ａ）は、図１に示したコンテナにおけるカムロック構造の近傍を示す概略的な側断面図であり、（ｂ）及び（ｃ）はそれぞれ取り外したカム及びボルト付カムヘッドの側面図であり、（ｄ）はラッチ部の平面図である。
【図３】図３は、カムロック構造の（ａ）解放状態と、（ｂ）ロック状態とを示す概略的な正面図である。
【図４】図４は、ラッチ部の変形例を示した図であり、（ａ）（ｂ）は第１の変形例の、（ｃ）（ｄ）は第２の変形例の、（ｅ）（ｆ）は第３の変形例のそれぞれ平面図と側面図である。
【図５】図５（ａ）は、従来例のコンテナの正面図、（ｂ）は左側面図、（ｃ）は（ｂ）の鎖線囲み部分の拡大図である。
【図６】図６（ａ）は、図５に示したコンテナにおける従来のカムロック構造の近傍を示す側断面図であり、（ｂ）及び（ｃ）はそれぞれ取り外したカムナット及びカムボルトの側面図であり、（ｄ）はラッチ部の平面図である。
【発明を実施するための形態】
【００２５】
以下、本発明の一実施例を示した図面を参照して本発明の実施形態を説明する。
図１及び図２は、本発明を適用したコンテナの一実施例を概略的に示す図である。
【００２６】
図１（ａ）は、本発明の一実施例におけるコンテナＣの正面図、（ｂ）は左側面図、（ｃ）は（ｂ）の鎖線囲み部分の拡大図である。以下の説明では、コンテナの排出口のある側面を前面とし、反対側の側面を後面と称することとする。
【００２７】
図１に示すようにコンテナＣは、ステンレス製の四方側板、底板及び上板から構成される直方体のコンテナ筐体６と、底板下面に付設した脚部５とを備える。上板の中央には蓋付きの投入口４が設けられ、前面側板の下部には排出口３が設けられている。排出口３には、略矩形の排出口扉３ａが、上縁の蝶番機構により開閉可能に取り付けられている。蝶番機構は、ヒンジ芯棒３ｂとヒンジ軸受け３ｃとを具備する。排出口扉３ａの中央下部には、排出口扉３ａを閉じて密封状態でロックするためのカムロック構造１０が設けられている。カムロック構造１０は、カム部１とラッチ部２とから構成される。カム部１とラッチ部２は基本的にコンテナ筐体６の内部に設置されるが、カム部１の前端のみが排出口扉３ａの前面から突出している。
【００２８】
図２を参照して、本発明の一実施例のカムロック構造１０の概要を説明する。図２（ａ）は、図１に示したコンテナＣにおけるカムロック構造１０の近傍を示す概略的な側断面図であり、（ｂ）及び（ｃ）はそれぞれ取り外したカム１１の側面図及びボルト付カムヘッド１２の展開側面図であり、（ｄ）はラッチ部２の平面図である。なお、図２は排出口扉３ａが閉じられロックされた状態を示している。
【００２９】
カム部１は、排出口扉３ａを貫通して排出口扉３ａに取り付けられている。カム部１は、従来例と同様に、排出口扉３ａに形成された貫通孔の周縁に溶接固定され後方に延びる円筒状のボス１６と、ボス１６の内側に配置された樹脂製のブッシュ１４及びＯリング１５とを具備する。また、従来例と同様に、カム部１が有するカム１１は、排出口扉３ａに対して垂直に延びるカム軸１１を具備し、カム軸１１が回動可能であるように取り付けられている。ボス１６は軸孔補強部材であり、ブッシュ１４は軸受け部材であり、Ｏリング１５はコンテナの内部と外部を遮蔽する封止材である。
【００３０】
本発明では、カム１１の取付手段として、カム１１のカム軸１１ｂから前方に延びるカム軸延長部１１ｄと、その前端に形成された締結部１１ｅとを具備する。カム軸延長部１１ｄは、ボス１６、ブッシュ１４及びＯリング１５を貫通し、前端が排出口扉３ａの前面に現れる。図示の例では、締結部１１ｅは螺子穴である。また、図示の例では、この螺子穴１１ｅに対して、締結具であるボルト付カムヘッド１２のボルト１２ａが締結される。ボルト付カムヘッド１２は、排出口扉３ａの前面側から締結されるものであり、コンテナ筐体の外部にある。
【００３１】
ボルト付カムヘッド１２は、略円筒状のヘッド部１２ｃにボルト１２ａが貫通して一体に螺合した部材である。ボルト１２ａの螺子部先端はヘッド部１２ｃの後面から突出している。ボルト付カムヘッド１２のヘッド部１２ｃの前面には六角穴１２ｂが形成されている。六角穴１２ｂは、カム軸１１ｂを回動させるための工具を装着するものである。別の例として、六角穴１２ｂに替えて、外部に突出する六角柱でもよく、又は、Ｔバーハンドル形式としてもよい。
【００３２】
図２（ｃ）に示すように、カム１１は、略螺旋状のカム面１１ａ及びストッパ１１ｃを軸周りに形成したカム軸１１ｂと、カム軸延長部１１ｄと、その前端の締結部１１ｅが一体となった部材である。仮に、コンテナ外部の締結具１２が緩んで脱落した場合、コンテナ内部にカム１１が脱落するが、比較的大きな部材であるので脱落した部材を発見することは容易である。
【００３３】
別の例として、図２の例とは逆に、カム軸延長部１１ｄの前端の締結部１１ｅを螺子付棒とし、締結具１２をカムナットとして螺子穴を形成してもよい。カム１１を固定するための締結手段はこれらの例に限られず、多様な形態が可能である。
【００３４】
カム面１１ａとストッパ１１ｃは従来例と同様である。カム面１１ａは、カム軸１１ｂの後端から前端に向かって略螺旋状に形成された前向きの面であるが、軸周りの所定範囲内にはカム面１１ａを形成していない切り欠き部分がある。ストッパ１１ｃは、カム面１１ａの前端の周縁部から前方に突出している。
【００３５】
ラッチ部２は、コンテナ筐体の底板６２上に固定されている。ラッチ部２は、金属製の柱状のラッチドック２１と、ラッチドック２１の側面を覆っている樹脂製の被覆部材２２とを具備する。ラッチドック２１は、好適には柱状であり、下端が底板６２上に溶接固定されている。図示の例ではラッチドック２１は円柱である。
【００３６】
被覆部材２２は、ラッチ部２に対するカム１１の当接、摺動及び衝突に対する緩衝材の役割を果たす。これにより、カム１１及びラッチドック２１の金属部分から金属屑が生じることを防止できる。図示の例では、被覆部材２２は円筒状であり、ラッチドック２１の側面全体を覆っている。また、被覆部材２２の上端がラッチドック２１の上端より若干高い位置にあることが好適である。被覆部材２２の厚さは例えば３〜８ｍｍ程度であるが、この範囲に限定するものではない。被覆部材２２は、摺動性、耐摩耗性、耐衝撃性に優れた樹脂が好ましく、例えば超高分子量ポリエチレンが好適であるが、これに限定されない。
【００３７】
図２（ａ）に示すように、コンテナの前面側板６１における排出口を形成する突出縁部６１ａは前方に突き出ており、この突出縁部６１ａは、排出口扉３ａの周縁に付設したガスケット３ｄと係合可能な位置に形成されている。ロック状態では、排出口扉３ａが後方に引き寄せられており、突出縁部６１ａがガスケット３ｄ内に埋没している。これにより密封状態が保持される。
【００３８】
図３は、カムロック構造１０の（ａ）解放状態と、（ｂ）ロック状態とを示す概略的な正面図である。上述した図２は、図３（ｂ）のロック状態に対応する。
【００３９】
図３（ａ）の解放状態では、排出口扉（図示せず）は排出口を覆うように下ろされただけで未だロックされていない。カム面１１ａの切り欠き部分１１ｆの前方にラッチ部２が位置しており、カム面１１ａはラッチ部２に当接していない。この状態では、排出口扉を開くことが可能である。図３（ａ）の解放状態の側面図は示さないが、排出口扉３ａ及びカム部１全体が図２に示した位置よりも前方にあり、突出縁部６１ａはガスケット３ｄに埋没していない。
【００４０】
図３（ａ）の解放状態からロックする方向にカム１１を回動させる（矢印参照）と、後端側のカム面１１ａがラッチ部２の被覆部材２２の後面と当接し、被覆部材２２の面上を摺動し始める。その後さらにカム面１１ａを回動させると、カム面１１ａがラッチ部２から力を受けることにより、カム部１が次第に後方に移動する。この結果、排出口扉３ａを後方に引き寄せることとなる。
【００４１】
最終的に、図３（ｂ）に示すように、ストッパ１１ｃがラッチ部２の被覆部材２２の側面に当たると、カム１１はそれ以上は回動できない。この状態が図２に示したロック状態である。このとき、図２に示すように前面側板６１の突出縁部６１ａがガスケット３ｄに埋没するように押し付けられ、密閉状態が形成される。
【００４２】
図４は、ラッチ部２の変形例を示した図であり、（ａ）（ｂ）は第１の変形例、（ｃ）（ｄ）は第２の変形例、（ｅ）（ｆ）は第３の変形例のそれぞれ平面図と側面図である。
【００４３】
第１の変形例のラッチ部２Ａでは、円柱状のラッチドック２１の側面を部分的に被覆部材２２が覆っている。ラッチ部２Ａの前面に対してカムが当接又は衝突することは無いと考えられるので、前面は被覆部材を省いてもよい。よって、被覆部材２２は、ラッチドック２１の側面のうち少なくとも、前面以外の側面を覆うように装着される。
【００４４】
第２の変形例のラッチ部２Ｂでは、ラッチドック２１が角柱状であり、側面全体が被覆部材２２で覆われている。以上の例では、ラッチドック２１の上面は被覆部材２２で覆われていない。これに対し、第３の変形例のラッチ部２Ｃでは、ラッチドック２１の側面全体と上面全体が被覆部材２２で覆われている。図２に示したラッチ部及び図４に示したラッチ部の第１〜第３の変形例の各特徴は、適宜組み合わせて適用することも可能である。
【００４５】
本発明は、上述した実施例に限られず多様な変形形態が可能である。
【符号の説明】
【００４６】
１０  カムロック構造
１  カム部
１１  カム
１１ａ  カム面
１１ｂ  カム軸
１１ｃ  ストッパ
１１ｄ  カム軸延長部
１１ｅ  螺子穴
１２  ボルト付カムヘッド
１２ａ  螺子部
１２ｂ  六角穴
１４  ブッシュ
１５  Ｏリング
１６  ボス
２  ラッチ部
２１  ラッチドック
２２  被覆部材
３  排出口
３ａ  排出口扉
３ｂ  ヒンジ芯棒
３ｃ  ヒンジ軸受け
３ｄ  ガスケット
４  投入口
５  脚部
６  コンテナ筐体
６１  前面側板
６１ａ  突出縁部
６２  底板
Ｃ  コンテナ
１１０  カムロック構造
１０１  カム部
１１１  カム
１１１ａ  カム面
１１１ｂ  カム軸
１１１ｃ  ストッパ
１１２  カムボルト
１１２ａ  螺子部
１１２ｂ  カム装着部
１１２ｃ  ボス装着部
１１２ｄ  ヘッド部
１１２ｅ  六角穴
１１３  カムナット
１１４  ブッシュ
１１５  Ｏリング
１１６  ボス
１０２  ラッチ部
１２１  ラッチドック
１２２  被覆板
Ｃ０  コンテナ
【図１】
0006655931.tif 000002
【図２】
0006655931.tif 000003
【図３】
0006655931.tif 000004
【図４】
0006655931.tif 000005
【図５】
0006655931.tif 000006
【図６】
0006655931.tif 000007